(57)【要約】【課題】居住空間の空気から揮発性有機化合物を取り除き、綺麗な空気を循環させる。【解決手段】ガス吸着材として活性炭を付着固定させた帯状の多孔質シート５を螺旋状に捲回し、その当接する側縁に沿って線状体７を螺旋状に捲回し、前記の多孔質シート５と線状体７を一体に固着して管状体１を形成して通風路とし、その管状体１の表面は、グラスウールの断熱層３により被覆し、通風路に流れる空気に混入している揮発性有機化合物を、ガス吸着材により取り除くようにする。【選択図】　図１
2004132665.tif 000002
【特許請求の範囲】
【請求項１】
ガス吸着材を固定させた帯状の多孔質シートを螺旋状に捲回し、その当接する側縁に沿って線状体を螺旋状に捲回し、前記の多孔質シートと線状体とを一体に固着して管状体を形成し、この管状体の表面は、少なくとも断熱機能を有する層により被覆した空調用ダクトホース。
【請求項２】
二枚の帯状の多孔質シートによりガス吸着材を固定した請求項１記載の空調用ダクトホース。
【請求項３】
帯状の多孔質シートが、不織布シートである請求項１または２記載の空調用ダクトホース。
【発明の詳細な説明】
【０００１】
【発明の属する技術分野】
本発明は、建材に使用されている接着剤、合成樹脂などから揮散し、いわゆる、シックハウス症候群の要因とされている揮発性物質を、吸着除去する機能を有する空調用ダクトホースの技術に関するものである。
【０００２】
【従来の技術】
従来における空調用ダクトホースとしての構成は、図４に示すように、内壁層を形成する管状体１２により通風路を構成し、その管状体１２の表面を吸音層１３により被覆して騒音を低減させ、さらに、その吸音層１３の表面を断熱層１４により被覆して結露を防止するようにしていた（例えば、特許文献１参照）。なお、断熱層１４の表面は外部被覆層１５により被覆されている。
【０００３】
そして、管状体１２は、ガラスクロスにより管状に形成し、その表面に、補強および保形をするために、鋼線を螺旋状に捲回したり、あるいは、帯状の不織布シートを螺旋状に捲回して管状に形成し、その表面に、補強および保形をするために、合成樹脂の線状体を螺旋状に捲回したりして形成していた。
【０００４】
【特許文献１】
特開平８−２４７３４８号公報
【０００５】
【発明が解決しようとする課題】
最近の建築物は、空気調和装置による冷暖房のエネルギー効率を向上させるため、気密性を高め、自然換気がし難くなっている。
【０００６】
一方、建材としてプラスチック材料が使用され、また、建材には接着剤、処理剤などの有機化合物が使用されており、この有機化合物からは揮発性の有機化合物が発生し易く、いわゆる、シックハウス症候群の要因となっている。
【０００７】
空気調和装置は、空調用ダクトホースを介して部屋の空気を循環させているので、気密性が高い居住空間内で揮散した揮発性有機化合物は、室内空気に混入して循環され、居住空間に滞留して、いわゆる、シックハウス症候群の要因になるという問題点があった。
【０００８】
そこで、本発明は、かかる問題点を解決するもので、ガス吸着材を固定させた帯状の多孔質シートで通風路を形成することにより、居住空間を循環する空気に混入されている揮発性有機化合物を、ガス吸着材により取り除き、居住空間に綺麗な空気を循環させることができる空調用ダクトホースを提供することにある。
【０００９】
【課題を解決するための手段】
上記問題点を解決するために、本発明の空調用ダクトホースにおいては、ガス吸着材を固定させた帯状の多孔質シートを螺旋状に捲回し、その当接する側縁に沿って線状体を螺旋状に一体に固着して形成した管状体により、通風路を構成することとしている。
【００１０】
そして、螺旋状に捲回されて通風路の壁面を形成する多孔質シートには、ガス吸着材が固定されており、そのガス吸着材が、通風路を流通する空気に混入している揮発性有機化合物を吸着して除去するので、居住空間には綺麗な空気を循環流通させることができる。
【００１１】
【発明の実施の形態】
本発明の空調用ダクトホースは、それぞれの請求項に記載したような形態で実施することができ、その構成に作用効果を併記して実施形態を以下に説明する。
【００１２】
すなわち、本発明の空調用ダクトホースは、請求項１に記載のように、ガス吸着材を固定させた帯状の多孔質シートを螺旋状に捲回し、その当接する側縁に沿って線状体を螺旋状に捲回し、前記の多孔質シートと線状体を一体に固着して管状体を形成し、その管状体の表面は、少なくとも断熱機能を有する層により被覆したものである。
【００１３】
そして、螺旋状に捲回されて通風路の壁面を形成する多孔質シートには、ガス吸着材が固定され、そのガス吸着材が、通風路を流通する空気に混入している揮発性有機化合物を吸着して除去するので、居住空間には綺麗な空気を循環流通させることができる。
【００１４】
また、螺旋状に捲回した多孔質シートの当接する側縁に沿って線状体が螺旋状に捲回され、多孔質シートに一体に固着されているので、当接する側縁同士が結合されて管状となり、しかも、その管状の表面には、線状体が螺旋状に捲回されているので、良好に保形されて管状体内の空気の流通を阻害することがなく、強度が向上し、可撓性が良好でフレキシブルなものとなり、取り付けや配管などの作業性も良好となる。
【００１５】
また、管状体の内壁は、多孔質シートにより平滑になっているので、圧力損失が少なく、その上、多孔質シートにより管状体は通気性となり、気流音を吸収することができる。
【００１６】
また、螺旋状に捲回した線状体と多孔質シートとは一体に固着されているので、多孔質シートは線状体の間で伸張し、張架されて通風路壁面の表面積を大きく保持し、ガス吸着材による吸着能力を増大させることができる。
【００１７】
さらに、断熱機能を有する層による結露を防止する機能は、低下することなく維持される。
【００１８】
なお、ガス吸着材としては、酸化還元法、付加縮合法など、吸着機能を化学結合により行う化学結合型タイプと、多孔質表面の物理的吸着機能を利用する物理的吸着タイプと、光触媒を用いる触媒分解タイプなどがあるが、それぞれのタイプに弱点もあるので、長所を活かす利用が必要になる。
【００１９】
例えば、化学結合型タイプのものとしては、アクリル酸系化合物などが用いられるが、これらの化合物はホルムアルデヒドのようなガスに対しては、吸着性能があるが、化学結合によるため、吸着性能を示さないガスも存在するという弱点を備え、また、物理的吸着タイプのものとしては、活性炭、活性白土、セラミックスなどが用いられ、幅広いガスに対して優れた吸着性能と吸着速度を有するが、ホルムアルデヒドの吸着性能には劣るという選択吸着性を有する弱点を備え、さらに、触媒分解タイプのものとしては酸化チタン粒子などが用いられるが、これらを固定する多孔質シートによっては、ガス吸着材により分解され易いものがあるという弱点を備えている。
【００２０】
そこで、それぞれの弱点を補完するため、複数のガス吸着材を併用することが効果的であるが、その場合は、ガス吸着材同士が化学結合して吸着性能を阻害しないように考慮する必要がある。
【００２１】
そして、多孔質シートとしては、天然繊維、化学繊維などの繊維を用いて構成されるシート、例えば、繊維を積層一体化した繊維質シート、不織布、紙シートなどがあり、また、合成樹脂フイルムに、微細な貫通孔を設けた微孔性シートなども用いることができる。
【００２２】
つぎに、ガス吸着材を多孔質シートに固定させる方法について説明する。
【００２３】
物理的吸着タイプのガス吸着材、触媒分解タイプのガス吸着材のように粒子状のガス吸着材の場合は、ガス吸着材を結合剤により多孔質シートに接着して固定したり、二枚の多孔質シートによりガス吸着材を挟持してガス吸着材を多孔質シートに付着させて固定したりすることができる。
【００２４】
化学結合型タイプのガス吸着材のように溶液状の場合は、ガス吸着材を担持させた繊維を用いて多孔質シートを構成することにより固定したり、ガス吸着材を多孔質シートに含浸保持させて固定したり、あるいは、活性炭のような多孔質粒子にガス吸着材を担持させ、この多孔質粒子を結合剤により多孔質シートに接着させて固定したりすることができる。
【００２５】
なお、二枚の多孔質シートによりガス吸着材を挟持して固定する場合、それぞれの多孔質シートに吸着性能が異なるガス吸着材を固定させると、それぞれの吸着性能が補完されて効果的である。
【００２６】
ガス吸着材を固定させた帯状の多孔質シートを螺旋状に捲回し、その当接する側縁に沿って線状体を螺旋状に捲回し、多孔質シートと線状体とを一体に固着して管状体を形成するには、公知の管状体成形機により形成することができる。
【００２７】
例えば、線状体として合成樹脂の線状体を用いる場合について、つぎに説明する。
【００２８】
表面に、それ自体の回転軸に対して傾斜した回転軸を有する回動自在なローラを多数備えた回転ドラムを用いる。この回転ドラムに、帯状の多孔質シートの側縁同士が突き合わさって当接した状態になるように、帯状の多孔質シートを供給すると、回転ドラムには、多孔質シートが螺旋状に捲回される。そして、押出し成形機より溶融した合成樹脂を、多孔質シートの当接する側縁に沿って線状に供給し、この溶融している線状の合成樹脂を、多孔質シートの表面にローラにより押圧しながら固化させると線状体が形成される。この線状体と多孔質シートとが接着され、多孔質シートの側縁同士が結合されて通気性の良い管状体が形成される。
【００２９】
このようにして得られた管状体を通風路にすると、壁面が多孔質シートにより平滑になり圧力損失が少なく、可撓性に優れたものとなる。
【００３０】
また、管状体の表面を被覆する断熱機能を有する層としては、グラスウール、独立気泡構造の発泡合成樹脂などを用いることにより、断熱性を確保し、結露を防止することができる。
【００３１】
なお、グラスウールを用いた場合には、吸音機能も有するので、管状体で吸収した気流音を吸音し、さらに騒音を低下させることもできる。また、断熱機能を有する層として独立気泡構造の発泡合成樹脂などを用いた場合、吸音機能も備えるようにするには、別に、グラスウール、連続気泡構造の発泡合成樹脂などを用いた吸音層を形成することにより、管状体で吸収した気流音を吸音し、騒音を低下させることができる。
【００３２】
なお、断熱機能を有する層を形成する場合、帯状の多孔質シートで管状体を形成する場合と同じように、断熱機能を有するシートを螺旋状に捲回して形成すると、可撓性に優れたものとなる。
【００３３】
また、請求項２に記載のように、二枚の帯状の多孔質シートによりガス吸着材を固定すると、ガス吸着材が多孔質シートにより挟持された状態になるので、ガス吸着材の脱落、離脱がなくなり、好ましい。
【００３４】
さらに、請求項３に記載のように、帯状の多孔質シートとして不織布シートを用いると、管状体が通気性に優れたものとなり、流通ガスとガス吸着材との接触が良好となって効果的である。
【００３５】
不織布シートは、通気性、ガス吸着材との接触性を考慮すると、目付は３０ｇ／ｍ２以上が好ましい。
【００３６】
しかし、先に説明したような合成樹脂の線状体を螺旋状に捲回する場合は、線状体と不織布シートとが接着されているので、繊維が十分に存在し、その絡み強度がある程度ないと、線状体に発生する潜在的弾性復元力によって繊維の剥離が生じ、また、線状体を固化させる際にローラにより押圧すると、目付が小さい場合、粒子状のガス吸着材が表面に露出して脱落する惧れがある。そこで、線状体を固着する側に用いる不織布の目付としては、７０ｇ／ｍ２程度が効果的である。
【００３７】
【実施例】
本発明の実施例について、空調用ダクトホースの一部を断面で示した図１、管状体の側断面を示す図２および多孔質シートの模式断面を示す図３を参照して説明する。
【００３８】
図１において、１は空調用ダクトホース本体２の内壁層を形成して通風路を構成する管状体、３は管状体１の表面を被覆する断熱層で、グラスウールシートを管状に捲回させて形成している。なお、グラスウールシートは断熱機能と吸音機能とを有するので、断熱層３は騒音を低減することもできる。なお、断熱層３が、独立発砲樹脂シートを螺旋状に倦回して形成された場合には、結露を防止する機能のみを有することになる。４は断熱層３の表面を被覆する外部被覆層で、ポリエチレンテープを捲回して形成している。
【００３９】
そして、管状体１は、ポリプロピレン繊維の不織布にガス吸着材を固定した帯状の多孔質シート５を螺旋状に捲回し、その当接する側縁に沿ってポリプロピレンからなり、リブ６を有する断面逆Ｔ字状の線状体７を螺旋状に捲回して一体に固着することにより形成する（図２参照）。
【００４０】
この線状体７を構成するポリプロピレンが固化する際、多孔質シート５の側縁は線状体７のリブ６と一体に固着され、多孔質シート５の当接する側縁同士も結合され、通気性、可撓性を有し、内壁面が平滑な管状体１が形成される。
【００４１】
なお、８は多孔質シート５の中心線に沿って螺旋状に捲回し、多孔質シート５と一体に固着されたポリプロピレンからなる保形線で、管状体１を屈曲した場合、そのフレキシブル性から圧縮部に位置する多孔質シート５が極端に圧縮されて表面積が減少するのを阻止している。
【００４２】
多孔質シート５は、目付が３０ｇ／ｍ２で、ポリプロピレン繊維の不織布からなる内側多孔質シート９と、目付が７０ｇ／ｍ２で、ポリプロピレン繊維の不織布からなる外側多孔質シート１０の二層により形成されている（図３参照）。
【００４３】
そして、外側多孔質シート１０の一面には線状体６，保形線８が固着され、他面にはヤシガラ活性炭がガス吸着材１１として固定されている。内側多孔質シート９の一面は通風路の壁面を構成し、他面にはポリアリルアミンがガス吸着材として固定されている。
【００４４】
外側多孔質シート１０の活性炭が固定された面と、内側多孔質シート９のポリアリルアミンが固定された面とが対峙するように二枚の多孔質シート９，１０を積層し、その周辺部を接着してガス吸着材を挟持し、固定すれば多孔質シート５が得られる。
【００４５】
この場合、活性炭は、ホルムアルデヒドに対する吸着性能が劣るので、ポリアリルアミンがこれを補完している。
【００４６】
【発明の効果】
本発明は、以上説明したような形態で実施され、以下に記載するような効果を奏する。
【００４７】
空調用ダクトホースの通風路を流通する空気に混入している揮発性有機化合物は、ガス吸着材により吸着して除去され、居住空間には綺麗な空気を循環流通させることができ、また、通風路は通気性を有するので、気流音を吸収して騒音を低下させ、さらに、空調用ダクトホースは可撓性に優れたものとなる。
【図面の簡単な説明】
【図１】本発明の実施例による空調用ダクトホースの一部を断面で示した側面図である。
【図２】図１における管状体の側断面図である。
【図３】図１における多孔質シートを断面で示した模式図である。
【図４】従来における空調用ダクトホースの一部を断面で示した側面図である。
【符号の説明】
１　管状体
３　断熱層
５　多孔質シート
７　線状体
９　内側多孔質シート
１０　外側多孔質シート
１１　ガス吸着材
【図１】
2004132665.tif 000003
【図２】
2004132665.tif 000004
【図３】
2004132665.tif 000005
【図４】
2004132665.tif 000006
【手続補正書】
【提出日】平成15年2月19日(2003.2.19)
【手続補正１】
【補正対象書類名】明細書
【補正対象項目名】特許請求の範囲
【補正方法】変更
【補正の内容】
【特許請求の範囲】
【請求項１】
二枚の多孔質シートでガス吸着材を固定させた帯状の多孔質シートを螺旋状に捲回し、その当接する側縁に沿って線状体を螺旋状に捲回し、前記帯状の多孔質シートと線状体とを一体に固着して管状体を形成し、この管状体の表面は、少なくとも断熱機能を有する層により被覆した空調用ダクトホース。
【手続補正２】
【補正対象書類名】明細書
【補正対象項目名】０００９
【補正方法】変更
【補正の内容】
【０００９】
【課題を解決するための手段】
上記問題点を解決するために、本発明の空調用ダクトホースにおいては、二枚の多孔質シートでガス吸着材を固定させた帯状の多孔質シートを螺旋状に捲回し、その当接する側縁に沿って線状体を螺旋状に一体に固着して形成した管状体により、通風路を構成することとしている。


【手続補正３】
【補正対象書類名】明細書
【補正対象項目名】００１２
【補正方法】変更
【補正の内容】
【００１２】
すなわち、本発明の空調用ダクトホースは、請求項１に記載のように、二枚の多孔質シートでガス吸着材を固定させた帯状の多孔質シートを螺旋状に捲回し、その当接する側縁に沿って線状体を螺旋状に捲回し、前記帯状の多孔質シートと線状体とを一体に固着して管状体を形成し、この管状体の表面は、少なくとも断熱機能を有する層により被覆したものである。


【手続補正４】
【補正対象書類名】明細書
【補正対象項目名】００１３
【補正方法】変更
【補正の内容】
【００１３】
そして、螺旋状に捲回された通風路の壁面を形成する多孔質シートには、ガス吸着材が固定され、通風路を流通する空気に混入している揮発性有機化合物は、多孔質シートを通過してガス吸着材と接触して除去されるので、居住空間には綺麗な空気を循環流通させることができる。


【手続補正５】
【補正対象書類名】明細書
【補正対象項目名】００２３
【補正方法】変更
【補正の内容】
【００２３】
物理的吸着タイプのガス吸着材、触媒分解タイプのガス吸着材のように、粒子状のガス吸着材の場合は、結合材によりガス吸着材を保持させた多孔質シートを二枚用い、これら二枚の多孔質シートによりガス吸着材を挟持したり、あるいは、ガス吸着材を二枚の多孔質シートにより挟持して多孔質シートに付着させたりして固定することができる。


【手続補正６】
【補正対象書類名】明細書
【補正対象項目名】００２４
【補正方法】変更
【補正の内容】
【００２４】
化学結合型タイプのガス吸着材のように溶液状の場合は、ガス吸着材を担持させた繊維により構成した多孔質シートを二枚用いたり、ガス吸着材を含浸保持させた多孔質シートを二枚用いたり、あるいは、ガス吸着材を担持させた活性炭のような多孔質粒子を結合材により接着させた多孔質シートを二枚用いたりして固定することができる。


【手続補正７】
【補正対象書類名】明細書
【補正対象項目名】００２５
【補正方法】変更
【補正の内容】
【００２５】
なお、二枚の多孔質シートによりガス吸着材を固定する場合、それぞれの多孔質シートに吸着性能が異なるガス吸着材を保持させると、それぞれの吸着性能が補完されて効果的である。


【手続補正８】
【補正対象書類名】明細書
【補正対象項目名】００３３
【補正方法】変更
【補正の内容】
【００３３】
また、二枚の多孔質シートによりガス吸着材を固定すると、ガス吸着材が多孔質シートにより挟持された状態になるので、ガス吸着材の脱落、離脱がなくなる。


【手続補正９】
【補正対象書類名】明細書
【補正対象項目名】００３４
【補正方法】変更
【補正の内容】
【００３４】
さらに、二枚の多孔質シートとして不織布シートを用いると、管状体が通気性に優れたものとなり、流通ガスとガス吸着材との接触が良好となって効果的である。